(57)【要約】【課題】  使用者が常に電池残量、運転時間、運転可能時間、充電時間、充電残時間の確認をすることができる電気掃除機を提供する。【解決手段】  電気掃除機において、本体に電池残量・運転時間・運転可能時間のいずれかもしくは組み合わせを表示する表示部を有し、充電台に電池残量・充電時間・充電残時間のいずれか、もしくは組み合わせを表示する表示部を有することを特徴とする。【選択図】  図１
2020156962.tif 000002
【特許請求の範囲】
【請求項１】
電気掃除機において、本体に電池残量・運転時間・運転可能時間のいずれかもしくは組み合わせを表示する表示部を有し、充電台に電池残量・充電時間・充電残時間のいずれか、もしくは組み合わせを表示する表示部を有することを特徴とする電気掃除機。
【請求項２】
電気掃除機において、本体に電池残量・運転時間・運転可能時間・充電時間・充電残時間のいずれか、もしくは組み合わせを表示する表示部を有していることを特徴とする電気掃除機。
【請求項３】
電気掃除機において、使用者が所有するなんらかのモバイル機器と通信し、モバイル機器の表示部に電池残量・運転時間・運転可能時間・充電時間・充電残時間のいずれか、もしくは組み合わせを表示する機能を有していることを特徴とする電気掃除機。
【請求項４】
請求項１〜３のいずれか２つ以上を組み合わせることを特徴とした電気掃除機。
【発明の詳細な説明】
【技術分野】
【０００１】
本発明は、電気掃除機に関するものである。
【背景技術】
【０００２】
従来、充電電池駆動式の電気掃除機がある。充電電池駆動式電気掃除機は、電池で駆動していることから取り出せるエネルギーに制限があるため、運転時間が限られるという特徴がある。さらに、電池のエネルギーを回復させるためには電池へエネルギーを充填させるための充電が必要である。安全に充電させるためには小さい電流で充電させる必要があり、そのため充電に要する時間は長いという特徴がある。
【先行技術文献】
【特許文献】
【０００３】
【特許文献１】特開２０１５−１５９８４１号公報
【発明の概要】
【発明が解決しようとする課題】
【０００４】
しかし、使用者においては使用中における残りの運転時間や、充電が完了するまでの時間が不明確であり、時間の管理がしづらく、場合によっては運転可能時間内に掃除が完了できないといった問題や、充電が完了する前に使用して運転時間が短くなるといった問題がある。
【０００５】
本発明は、上記課題を解決し、使用者が常に電池残量、運転時間、運転可能時間、充電時間、充電残時間の確認をすることができる電気掃除機を提供することを目的としている。
【課題を解決するための手段】
【０００６】
本発明は、上記目的を達するために、電気掃除機において、本体に電池残量・運転時間・運転可能時間のいずれかもしくは組み合わせを表示する表示部を有し、充電台に電池残量・充電時間・充電残時間のいずれか、もしくは組み合わせを表示する表示部を有することを特徴とする。
【発明の効果】
【０００７】
これによって、使用者が常に電池残量、運転時間、運転可能時間、充電時間、充電残時間の確認をする電気掃除機を提供することができる。
【図面の簡単な説明】
【０００８】
【図１】掃除機電気掃除機100の全体斜視図
【図２】充電台７０の全体斜視図
【図３】７セグメントＬＥＤ200の図
【発明を実施するための形態】
【０００９】
以下、  以下、図面を参照してこの発明を実施するための形態について説明する。
【実施例１】
【００１０】
図1は二次電池と二次電池を電力源とする充電電池駆動式の電気掃除機100の斜視図である。
【００１１】
図４に示すように、電気掃除機１００は、ダストケース２が本体部１０の下方かつモータケース部１１の前方に取り付けられる。この場合、ダストケース２を掃除機本体１に装着すると、蓋ロック機構２ｅが掃除機本体１側に隠れる。これは、蓋ロック機構２ｅを反対側（外側）に設けた場合、掃除中に蓋ロック機構２ｅが解除される恐れがあるが、蓋ロック機構２ｅが掃除機本体１側に隠れるようにすることで、誤動作を防止することができるからである。例えば、スティック状態でソファやベッドの下を掃除するときなど、掃除機本体１を床面に対して水平に近づける場合がある。このとき、蓋ロック機構２ｅを表側に設けた場合、床面と接触して蓋ロック機構２ｅが解除される可能性がある。蓋ロック機構２ｅとヒンジ部２ｄの位置はこの限りでなく、掃除機本体１に対し左右に設けても構わない。
【００１２】
また、ダストケース２には、お手入れブラシ２ｓ（図２、図３参照）が着脱自在に設けられている。このお手入れブラシ２ｓは、ダストケース２が掃除機本体１に装着されたときに外部から見え難い位置に配置されている。このため、運転中に外れ難く、また、お手入れブラシ２ｓを電気掃除機１００とは別の場所に保管しておく必要もない。
【００１３】
また、気密保持部材９０が掃除機本体１に取り付けられている場合には、気密保持部材９０によって発光素子１０ｃが覆われる。換言すると、発光素子１０ｃは、気密保持部材９よりも内側に位置するように気密保持部材９０の内径が設定されている。
【００１４】
本体1の操作スイッチ12bを押下することで、スイッチ12bに対応した運転モードで本体1の電動送風機を駆動させ、運転する。本体1の内部にはモータ組(電動送風機)と、電動送風機の回転数を制御するためのメイン基板(制御基板)、スイッチ基板とを有する。また、メイン基板及びモータ組の電源となる電池組3がある。
【００１５】
図2は本発明を適用する充電電池駆動式電気掃除機の充電台70の斜視図である。  図１４に示すように、充電台７０は、ベース部７１とスタンド部７２とによって構成されている。
【００１６】
ベース部７１は、標準吸口４００（図１参照）が載置される略矩形状の載置面７１ａを有している。また、ベース部７１は、幅方向（左右方向）の中央に、後方に延びる延出部７１ｂを有している。この延出部７１ｂの左右の側方には、小型吸口６００（付属品、アタッチメント）およびほうき型吸口７００（付属品、アタッチメント）を取り付けて保管しておく側部保管部７１ｃ，７１ｄが設けられている。スタンド部７２は、延出部７１ｂから、鉛直方向（上下方向）上向きに延在している。スタンド部７２の上部には下部よりも前方に厚み（膨らみ）を持った膨出部７２ａが形成されている。
【００１７】
スタンド部７２の上面７２ｂには、電気掃除機１００（図１参照）を充電する際に使用される充電端子７３が設けられている。この充電端子７３は、掃除機本体１（図２参照）と電気的に接続される。また、充電端子７３は、蓄電池３を充電する端子であり、スタンド部７２の上面７２ｂから鉛直方向の上方に向けて突出して形成されている。
【００１８】
また、スタンド部７２の上面７２ｂには、略半円状のガイド部７２ｃが形成されている。このガイド部７２ｃは、掃除機本体１（図２参照）を充電端子７３に案内するとともに、掃除機本体１の倒れ込みを防止する部材であり、上面７２ｂの外周縁部から上方に突出して形成されている。また、ガイド部７２ｃは、モータケース部１１（図２参照）の外周面に沿うように形成されている。
【００１９】
スタンド部７２の右側面には、延長ホース８００（図１参照）を掛止させる掛止部７２ｄが形成されている。充電台70は電気掃除機100を充電する際に、電気掃除機100をセットし、支持するための支柱72と台座71および、充電するための充電基板もしくはアダプターとで構成されており、電気掃除機100をセットすることで電気掃除機100の電池組3に充電することができる。
【００２０】
電気掃除機100には、電池残量・運転時間・運転残時間のいずれか、もしくは組み合わせを数字で表示する図3のような７セグメントＬＥＤ200があり、運転開始し、電気掃除機100が起動したら表示する。運転中は常に電池残量・運転時間・運転残時間のいずれか、もしくは組み合わせの表示をする。さらに運転停止後も一定時間もしくは使用者が表示停止させるSWを押下するまで表示する。電池残量・運転時間・運転残時間のいずれを表示しているのかを明確にするために電気掃除機100に文字を印刷してもよい。
【００２１】
充電台70には、電池残量・充電時間・充電残時間のいずれか、もしくは組み合わせを数字で表示する図3のような７セグメントＬＥＤ200があり、掃除機電気掃除機100を充電台70にセットしたら表示する。充電中は常に電池残量・充電時間・充電残時間のいずれか、もしくは組み合わせの表示をし、充電完了後も一定時間表示する。電池残量・運転時間・運転残時間のいずれを表示しているのかを明確にするために充電台70に文字を印刷してもよい。
【００２２】
また、本請求項１では表示する方法として７セグメントＬＥＤ200を使用する方法をとっているが、実際はこの限りではなく、ＬＥＤの配置とパネルによって疑似的に７セグメントＬＥＤ200を構築する方法や、キャラクタ液晶による方法、フルドット液晶による方法も考えられる。
【実施例２】
【００２３】
掃除機電気掃除機100には、電池残量・運転時間・運転残時間・充電時間・充電残時間のいずれか、もしくは組み合わせを数字で表示する図3のような７セグメントＬＥＤ200があり、運転開始し、電気掃除機100が起動もしくは充電台にセットしたら表示する。運転中は常に電池残量・運転時間・運転残時間のいずれか、もしくは組み合わせの表示をする。さらに運転停止後も一定時間もしくは使用者が表示停止させるSWを押下するまで表示する。充電中は常に電池残量・充電時間・充電残時間のいずれか、もしくは組み合わせの表示をし、充電完了後も一定時間表示する。電池残量・運転時間・運転残時間・充電時間・充電残時間のいずれを表示しているのかを明確にするために本体に文字を印刷してもよい。
【００２４】
また、本請求項２では表示する方法として７セグメントＬＥＤ200を使用する方法をとっているが、実際はこの限りではなく、ＬＥＤの配置とパネルによって疑似的に７セグメントＬＥＤを構築する方法や、キャラクタ液晶による方法、フルドット液晶による方法も考えられる。
【実施例３】
【００２５】
掃除機電気掃除機100には、使用者が所有するスマートフォンと通信するための無線ＬＡＮモジュールがあり、使用者が所有するスマートフォンと通信し、専用のアプリケーションを介することで、運転中は電池残量・運転時間・運転残時間のいずれか、もしくは組み合わせを表示し、充電台セット時は電池残量・充電時間・充電残時間のいずれかもしくは組み合わせを表示する。
【００２６】
また、本請求項３では通信方式を無線ＬＡＮとしているが、実際はこの限りではなく、有線による通信や、Ｂｌｕｅｔｏｏｔｈ（登録商標）による通信、赤外線での通信、ＮＦＣでの通信等の様々な方式が考えられる。
【００２７】
さらに、本請求項３ではスマートフォンでの使用を例としているが、実際はこの限りではなく、パソコンや、タブレット、ウェアラブルデバイス等の通信が可能な電子デバイス全般での使用も可能であると考えられる。
【実施例４】
【００２８】
請求項１〜３のいずれか、もしくは組み合わせで実施することにより、様々な形態での実施が可能であり、幅広い使用者向けとすることが可能である。
【００２９】
なお、実施例１〜４に記載の構成は、サイクロン型、紙パック型、ハンディ型、スティック型、などの電気掃除機や、ロボット掃除機に適用してもよい。また、表示するものを掃除機本体へ搭載した実施例やスマートフォンへ表示する実施例、などとしたが、これに限らない。例えば、吸口や延長管やホースなどに搭載してもよいし、リモコン等へ表示してもよい。
【図１】
2020156962.tif 000003
【図２】
2020156962.tif 000004
【図３】
2020156962.tif 000005